(57)【要約】【課題】落下衝撃等によるバッテリの接触断による電源断を防ぐ。【解決手段】略直方体の第一面と該第一面に直交する第二面とを跨るように連続して設けられ、断面が略Ｌ字型をした一の極性をもった接点３１を正極及び負極のそれぞれで有するバッテリーパック６２と、電子機器とを電気的に接続するバッテリ接続端子構造であって、接続端子は、バッテリーパック６２の第一面側の接点に弾性をもって当接する第一の接続端子４２と、バッテリーパックの第二面側の接点に弾性をもって当接する第二の接続端子と４１を正極及び負極のそれぞれで備える。【選択図】図６
2011171987.tif 000002
【特許請求の範囲】
【請求項１】
略直方体の第一面と該第一面に直交する第二面とを跨るように連続して設けられ、断面が略Ｌ字型をした一の極性をもった接点を正極及び負極のそれぞれで有するバッテリーパックと、電子機器とを電気的に接続するバッテリ接続端子構造であって、
前記接続端子は、前記バッテリーパックの第一面側の接点に弾性をもって当接する第一の接続端子と、前記バッテリーパックの第二面側の接点に弾性をもって当接する第二の接続端子とを正極及び負極のそれぞれで備えることを特徴とするバッテリ接続端子構造。
【請求項２】
前記第一の接続端子及び前記第二の接続端子は、同一の極性に係るもの同士で連続した一枚の湾曲した板バネであり、前記バッテリーパックの前記接点に対応するように二箇所を突出して湾曲され、一の湾曲部は前記バッテリーパックの第一面側の接点に弾性をもって当接し、他方の湾曲部は前記バッテリーパックの第二面側の接点に弾性をもって当接することを特徴とする請求項１に記載のバッテリ接続端子構造。
【発明の詳細な説明】
【技術分野】
【０００１】
本発明は、落下衝撃等によるバッテリの接触断による電源断を防ぐ方法として、バッテリの接続端子を２方向以上からの接触とした構造を特徴とするバッテリ接続端子構造に関する。
【背景技術】
【０００２】
バッテリにて稼動する携帯情報端末等の装置において、装置に加わる衝撃により装置内でバッテリーパックが微小に動いてしまい、バッテリーパックの接点と端末側の接続端子の間にて接触断が起きてしまう問題がある。
【０００３】
通常、端末側の接続端子でバッテリーパックの接点を押さえるバネの強さを強くしたり、端末の筐体構造にてバッテリーパックを動かない様に固定して対策しているが、あまり堅牢に作りすぎるとバッテリーパックの着け外しが固くて困難になってしまい利便性を損なう問題があった。
【０００４】
また、携帯情報端末は、携帯性及びコスト面からの要求により、安価で軽量なプラスチックの筐体を採用する場合が多く、材質面からも堅牢性には限界がある。
【０００５】
更には、バネや接続端子、バッテリーパックや装置筐体の微小なサイズばらつきにより、バッテリーパックの固定が緩い組み合わせが存在してしまう問題もある。
【０００６】
そこで、特許文献１及び２には、電子機器本体に電池の電極に圧接される湾曲した弾性接触子を設ける発明が開示されている。
【０００７】
特許文献３には、電子機器本体に電池の電極に圧接される湾曲した弾性接触子が図示されている。
【先行技術文献】
【特許文献】
【０００８】
【特許文献１】特開２００１−２６８８１１号公報
【特許文献２】特開２００５−０４３５７８号公報
【特許文献３】特開２００６−２４４７３７号公報
【発明の概要】
【発明が解決しようとする課題】
【０００９】
しかしながら、特許文献１及び２に開示された発明は、電池パックに設けた＋極および−極の夫々の電極を前記電池パックの外面の直交する２面に設け、電子機器本体に前記各電極と２面で圧接する弾性接触子を設けることにより、電池パックの保持をより確実なものとしているが、電子機器本体に設けられた弾性接触子は薄い金属片であり、特に特許文献２に記載のものは、開放端を有することから、容易に変形、破損しやすいという問題点がある。
【００１０】
特許文献３に開示された発明は、電池パックを二方向から押さえるものではなく、端末機器が衝撃を受けると、電池パックが容易にずれ、接触断が生じ得るという問題点がある。
【００１１】
本発明は上記に鑑みてなされたもので、落下衝撃等によるバッテリの接触断による電源断を防ぐバッテリ接続端子構造を提供することを目的とする。
【課題を解決するための手段】
【００１２】
上述の問題を解決するため、本発明に係るバッテリ接続端子構造は、略直方体の第一面と該第一面に直交する第二面とを跨るように連続して設けられ、断面が略Ｌ字型をした一の極性をもった接点を正極及び負極のそれぞれで有するバッテリーパックと、電子機器とを電気的に接続するバッテリ接続端子構造であって、前記接続端子は、前記バッテリーパックの第一面側の接点に弾性をもって当接する第一の接続端子と、前記バッテリーパックの第二面側の接点に弾性をもって当接する第二の接続端子とを正極及び負極のそれぞれで備えることを特徴とする。
【発明の効果】
【００１３】
本発明によれば、落下衝撃等によるバッテリの接触断による電源断を防ぐバッテリ接続端子構造を提供することができる。
【図面の簡単な説明】
【００１４】
【図１】本発明の実施の形態に係る携帯情報端末の正面図である。
【図２】本発明の実施の形態に係る携帯情報端末の背面図である。
【図３】本発明の実施の形態に係る携帯情報端末用のバッテリーパックの図である。
【図４】本発明の実施の形態に係る携帯情報端末のバッテリーパックの装着スペース付近を、バッテリーパックを外した状態で示した図である。
【図５】図４の４−Ａに示す点線にて接続端子を横から見た断面図である。
【図６】図５に示した断面図について、バッテリーパックが装着された状態を示している図である。
【図７】本発明の実施の形態に係る携帯情報端末におけるバッテリーパック接続端子の構造を示す図である。
【発明を実施するための形態】
【００１５】
［第１の実施の形態］
以下、図面を参照しながら、本発明の実施の形態について詳細に説明する。ここで、図１は、本発明の実施の形態に係る携帯情報端末の正面図である。
【００１６】
図１に示すように、本実施の形態の携帯情報端末の正面にはＬＣＤ表示装置１１があり、携帯情報端末としての各種情報の表示を行う。
【００１７】
また、本実施の形態の携帯情報端末の正面には携帯情報端末を操作する為のキースイッチ群１２を有する。
【００１８】
図２は、本発明の実施の形態に係る携帯情報端末の背面図である。図２に示すように、本実施の形態の携帯情報端末の背面にはバッテリーパックを装着するスペースがあり、バッテリーパックとバッテリーパックカバー２１が装着されて使用される。
【００１９】
図３に本実施の形態の携帯情報端末用のバッテリーパックを示す。このバッテリーパックは、略直方体の第一面と該第一面に直交する第二面とを跨るように連続して設けられ、断面が略Ｌ字型をした一の極性をもった接点を正極及び負極のそれぞれで有するバッテリーパックである。
【００２０】
図３に示すように、接点３１と−接点３２とを備え、＋接点３１及び−接点３２は、バッテリーパックを正面から見た面及び上方の面の２面で接触可能な接点となっている。
【００２１】
図４は、本発明の実施の形態に係る携帯情報端末のバッテリーパックの装着スペース付近を、バッテリーパックを外した状態で拡大して示している。
【００２２】
図４の４１〜４４はバッテリーパックの接点と接続される接続端子を示し、図４の４１を＋端子Ａ、４２を＋端子Ｂ、４３を−端子Ａ、４４を−端子Ｂとする。
【００２３】
＋端子Ａ４１、＋端子Ｂ４２共に携帯情報端末内部にて＋の電源が接続される回路に接続されている。
【００２４】
−端子Ａ４３、−端子Ｂ４４共に携帯情報端末内部にて−の電源が接続される回路に接続されている。
【００２５】
図４の４−Ａに示す点線にて接続端子を横から見た断面図を図５に示す。図５に示す様に＋端子Ａ４１はバッテリーパックの上方向に設置され、＋端子Ｂ４２はバッテリーパックの正面方向に設置されている。図５では＋端子のみの構造を示したが、−端子も同様の構造となっているものとする。すなわち、バッテリーパックの第一面側の接点に弾性をもって当接する第一の接続端子と、バッテリーパックの第二面側の接点に弾性をもって当接する第二の接続端子とを正極及び負極のそれぞれで備えている。
【００２６】
[第１の実施の形態の動作]
本実施の形態の携帯情報端末の動作を図６にて説明する。図６は、図５に示した断面図について、バッテリーパックが装着された状態を示している。
【００２７】
６２は図３に示したバッテリーパックである。６１はバッテリーパック格納部の蓋であるバッテリーパックカバーを示している。図６にて＋端子Ａ４１と＋端子Ｂ４２は、バッテリーパックが装着された状態にてそれぞれ筐体内に押し込められる形で沈み込みバネの力で図５に白い矢印Ａ、Ｂで示した方向にテンションがかかりバッテリーパックの＋接点３１との接続を保持するものである。
【００２８】
携帯情報端末に落下等の衝撃が加わり、バッテリーパックが矢印Ａの方向に微小に動いた時について、＋端子Ａ４１のバネの力での追従性を超える速度でバッテリーパックが動いた場合に、＋端子Ａ４１と＋接点３１との間で瞬間的な接触断が起こる。
【００２９】
また、同様に矢印Ｂの方向にバッテリーパックが微小に動いた場合に、＋端子Ｂ４２と＋接点３１との間で瞬間的な接触断が起こる。
【００３０】
本実施の形態の携帯情報端末では、矢印Ａの方向に電池パックが微小に動いて＋端子Ａ４１と＋接点３１との間で接触断が起こった場合には、＋端子Ｂ４２と＋接点３１の接触が残り、矢印Ｂの方向に電池パックが微小に動いて＋端子Ｂ４２と＋接点３１との間で接触断が起こった場合には、＋端子Ａ４１と＋接点３１の接触が残る事により、電源の供給断の発生を防止するものである。
【００３１】
図６では＋端子のみの動作を示したが、−端子も同様の動作となるものとする。
【００３２】
以上説明したように、本実施の形態では、バッテリの接続端子を２方向からの接触とする事により、落下衝撃等での電池パックの動きに対する追従性を高め、端子の接触断を防止することができる。
【００３３】
[第２の実施の形態]
第２の実施の形態では、第１の実施の形態での図５に示したバッテリーパック接続端子の構造を図７に示す構造に変更する。
【００３４】
図７の７１を＋端子Ａ部、図７の７２を＋端子Ｂ部とし、同一の極性に係るもの同士で連続した一枚の湾曲した板バネであり、第１の実施の形態での＋端子Ａ４１及び＋端子Ｂ４２と同じ働きをするものとする。
【００３５】
すなわち、バッテリーパックの前記接点に対応するように二箇所を突出して湾曲され、一の湾曲部はバッテリーパックの第一面側の接点に弾性をもって当接し、他方の湾曲部はバッテリーパックの第二面側の接点に弾性をもって当接するものである。
【００３６】
図７では＋端子のみの構造を示したが、−端子も同様の構造となっているものとする。第２の実施の形態では図７に示す様に、バッテリーパックとの接続端子を板バネにて１つの部品で構成している事を特徴とし、動作については第１の実施の形態と同様とする。第２の実施の形態では接続端子を１つの部品で構成している為に、第１の実施の形態の様に２つの部品を使った場合に比べて、部品のコストが抑えられるメリットがある。
【００３７】
また、接続端子が１つの部品の為に、回路接続も２つの部品を接続する場合に比べて簡易にできるメリットがある。 
【産業上の利用可能性】
【００３８】
本発明は、携帯電話機をはじめとする携帯情報端末に用いることができる。
【符号の説明】
【００３９】
１１  ＬＣＤ表示装置
１２  キースイッチ群
２１  バッテリーパックカバー
３１  ＋接点
３２  −接点
４１  ＋端子Ａ
４２  ＋端子Ｂ
４３  −端子Ａ
４４  −端子Ｂ
６１  バッテリーパックカバー
６２  バッテリーパック
７１  ＋端子Ａ部
７２  ＋端子Ｂ部
【図１】
2011171987.tif 000003
【図２】
2011171987.tif 000004
【図３】
2011171987.tif 000005
【図４】
2011171987.tif 000006
【図５】
2011171987.tif 000007
【図６】
2011171987.tif 000008
【図７】
2011171987.tif 000009